【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
搬送路切替えのために揺動自在な切替手段と、前記切替手段の揺動の起動力となる電動手段と、
揺動の途中で前記切替手段の動作速度を減速するよう前記電動手段を制御する制御手段と、を有することを特徴とするシート材搬送装置。
【請求項２】
前記切替手段は複数個存在して、各搬送路の分岐入口に各々配置され、
前記複数の切替手段は１つの電動手段によって動作させられることを特徴とする、請求項１に記載のシート材搬送装置。
【請求項３】
前記電動手段は、第１の弾性手段によって復元力が付与されており、且つ、第２の弾性手段を介して前記切替手段に動作力を伝達し、
前記制御手段は、前記電動手段が電通状態で動作するとき動作速度を減速すべく途中で一旦非電通し、又、前記電動手段が非電通状態で前記第１の弾性手段によって復元するとき動作速度を減速すべく途中で一旦通電することを特徴とする、請求項１に記載のシート材搬送装置。
【請求項４】
前記電動手段は、ソレノイドと、前記ソレノイドの動きを前記切替手段に伝えるリンクと、を備え、前記第１の弾性手段は前記リンクに作用し、前記第２の弾性手段は前記リンクと前記切替手段との間に介在し、
更に、
前記第１の弾性手段による復元力に抗して前記リンクを抑止するリンクストッパーと、
前記切替手段の揺動を切替え位置で抑止する揺動ストッパーと、
を備えることを特徴とする、請求項３に記載のシート材搬送装置。
【請求項５】
前記リンクの動きを検知し、前記切替手段が切替位置を通過したことを検知するセンサーを備え、
前記センサーの検知に基づいて前記電動手段を制御することを特徴とする、請求項４に記載のシート材搬送装置。
【請求項６】
請求項２のシート材搬送装置と、
前記切替手段によって搬送路を切替えらえた複数のシートを分配する複数のトレイと、を備えることを特徴とするソータ。
【請求項７】
請求項２のシート材搬送装置と、
前記切替手段によって搬送路を切替えらえた複数のシートを分配する複数のトレイと、を備えることを特徴とする画像形成装置。
【請求項８】
請求項３のシート材搬送装置と、
前記切替手段によって搬送路を切替えらえた複数のシートを分配する複数のトレイと、を備えることを特徴とする画像形成装置。
【請求項９】
シート材を搬送するための主搬送路と、
前記主搬送路から分岐する複数の分岐路と、
前記主搬送路から前記分岐路へシートを案内する切替位置とシートを通過させる退避位置とを選択すべく揺動可能な複数の切替手段と、
前記複数の切替手段を揺動させる１つの電動手段と、
前記電動手段と前記各切替手段とを連結する複数の弾性手段と、
下流側の前記分岐路までシートを送って分岐するために前記切替手段を揺動させるべく前記電動手段を通電するときには、上流側の前記分岐路でシートを分岐するときに比較して、通電力を強くするように制御する制御手段と、を備えることを特徴とするシート材搬送装置。
【請求項１０】
前記制御手段は、揺動の途中で前記切替手段の動作速度を減速するように前記電動手段を制御することを特徴とする、請求項９に記載のシート材搬送装置。
【請求項１１】
前記電動手段は、第１の弾性手段によって復元力が付与されており、且つ、第２の弾性手段を介して前記切替手段に動作力を伝達し、
前記制御手段は、前記電動手段が電通状態で動作するとき動作速度を減速すべく途中で一旦非電通し、又、前記電動手段が非電通状態で前記第１の弾性手段によって復元するとき動作速度を減速すべく途中で一旦通電することを特徴とする、請求項１０に記載のシート材搬送装置。
【請求項１２】
前記電動手段は、ソレノイドと、前記ソレノイドの動きを前記切替手段に伝えるリンクと、を備え、前記第１の弾性手段は前記リンクに作用し、前記第２の弾性手段は前記リンクと前記切替手段との間に介在し、
更に、
前記第１の弾性手段による復元力に抗して前記リンクを抑止するリンクストッパーと、
前記切替手段の揺動を切替え位置で抑止する揺動ストッパーと、を備えることを特徴とする、請求項１１に記載のシート材搬送装置。
【請求項１３】
前記リンクの動きを検知し、切替手段が切替位置を通過したことを検知するセンサーを備え、
前記センサーの検知に基づいて前記電動手段を制御することを特徴とする、請求項１２に記載のシート材搬送装置。
【請求項１４】
請求項１０のシート材搬送装置と、
前記切替手段によって搬送路を切替えられた複数のシートを分配する複数のトレイと、を備えることを特徴とするソータ。
【請求項１５】
請求項１０のシート材搬送装置と、
前記切替手段によって搬送路を切替えらえた複数のシートを分配する複数のトレイと、を備えることを特徴とする画像形成装置。
【請求項１６】
シート材を搬送するための主搬送路と、
前記主搬送路から分岐する複数の分岐路と、
前記主搬送路から前記分岐路へシートを案内する切替位置とシートを通過させる退避位置とを選択すべく揺動可能な複数の切替手段と、
前記複数の切替手段を揺動させる１つの電動手段と、
前記電動手段と前記各切替手段とを連結する複数の弾性手段と、
揺動の途中で前記切替手段の動作速度を減速するように前記電動手段を制御する制御手段と、を備え、
且つ前記制御手段は、下流側の前記分岐路までシートを送って分岐するために前記切替手段を揺動させるべく前記電動手段を通電するときには、上流側の前記分岐路でシートを分岐するときに比較して、減速率を弱くするように制御することを特徴とするシート材搬送装置。
【請求項１７】
前記制御手段は、
下流側の前記分岐路までシートを送って分岐するために前記切替手段を揺動させるべく前記電動手段を通電するときには、上流側の前記分岐路でシートを分岐するときに比較して、通電力を強くするように制御することを特徴とする、請求項１６に記載のシート材搬送装置。
【請求項１８】
前記電動手段は、第１の弾性手段によって復元力が付与されており、且つ、第２の弾性手段を介して前記切替手段に動作力を伝達し、
前記制御手段は、前記電動手段が電通状態で動作するとき動作速度を減速すべく途中で一旦非電通し、又、前記電動手段が非電通状態で前記第１の弾性手段によって復元するとき動作速度を減速すべく途中で一旦通電することを特徴とする、請求項１６に記載のシート材搬送装置。
【請求項１９】
前記電動手段は、ソレノイドと、前記ソレノイドの動きを前記切替手段に伝えるリンクと、を備え、前記第１の弾性手段は前記リンクに作用し、前記第２の弾性手段は前記リンクと前記切替手段との間に介在し、
更に、
前記第１の弾性手段による復元力に抗して前記リンクを抑止するリンクストッパーと、
前記切替手段の揺動を切替え位置で抑止する揺動ストッパーと、を備えることを特徴とする、請求項１８に記載のシート材搬送装置。
【請求項２０】
前記リンクの動きを検知し、切替手段が切替位置を通過したことを検知するセンサーを備え、
前記センサーの検知に基づいて前記電動手段を制御することを特徴とする、請求項１９に記載のシート材搬送装置。
【請求項２１】
前記請求項１７のシート材搬送装置と、
前記切替手段によって搬送路を切替えらえた複数のシートを分配する複数のトレイと、を備えることを特徴とするソータ。
【請求項２２】
搬送路切替えのために揺動自在な切替手段と、
前記切替手段の揺動の起動力となる電動手段と、
揺動の途中で前記切替手段の動作速度を減速するよう前記電動手段を制御する制御手段と、を有することを特徴とする、画像形成装置。
【請求項２３】
シート材を搬送するための主搬送路と、
前記主搬送路から分岐する複数の分岐路と、
前記主搬送路から前記分岐路へシートを案内する切替え位置とシートを通過させる退避位置とを選択すべく揺動可能な複数の切替手段と、
前記複数の切替手段を揺動させる１つの電動手段と、
前記電動手段と前記各切替手段とを連結する複数の弾性手段と、
下流側の前記分岐路までシートを送って分岐するために前記切替手段を揺動させるべく前記電動手段を通電するときには、上流側の前記分岐路でシートを分岐するときに比較して、通電力を強くするように制御する制御手段と、を備えることを特徴とする、画像形成装置。
【請求項２４】
シート材を搬送するための主搬送路と、
前記主搬送路から分岐する複数の分岐路と、
前記主搬送路から前記分岐路へシートを案内する切替え位置とシートを通過させる退避位置とを選択すべく揺動可能な複数の切替手段と、
前記複数の切替手段を揺動させる１つの電動手段と、
前記電動手段と前記各切替手段とを連結する複数の弾性手段と、
揺動の途中で前記の切替手段の動作速度を減速するように前記電動手段を制御する制御手段と、
を備え、
且つ前記制御手段は、下流側の前記分岐路までシートを送って分岐するために前記切替手段を揺動させるべく前記電動手段を通電するときには、上流側の前記分岐路でシートを分岐するときに比較して、減速率を弱くするように制御することを特徴とする、画像形成装置。